【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
命令を格納した非一時的コンピューター可読記憶媒体であって、前記命令は、コンピューターシステムにより実行されたとき、該コンピューターシステムに、複数単位注文、複数品目注文、または複数単位注文および複数品目注文の組み合わせの注文をサポートする、トレーダー間の調整を強化するためのトレーディング方法であって、
ａ）１つの決済において複数のトレーダーを照合するための決済方法を含むとともに、どの注文が許容可能であるのかを定義するメッセージ欄を含むトレーディングメカニズム有するトレーディング装置を提供すること、
ｂ）少なくとも一人の第１のトレーダーおよび該第１のトレーダー以外の少なくとも一人のトレーダーによって送信された許容可能な注文を受信すること、
送信された前記許容可能な注文は、前記少なくとも一人の第１のトレーダーによって送信された少なくとも一つの許容可能な複合注文を含み、
前記少なくとも一人の第１のトレーダーによって送信された前記少なくとも一つの許容可能な複合注文は、少なくとも一つのゼロではない価格を含み、かつ、複数単位注文、複数品目注文、および複数単位注文および複数品目注文の組み合わせのうちのいずれか一方のグループに属し、
前記少なくとも一人の第１のトレーダーによって送信された前記少なくとも一つの許容可能な複合注文は、前記許容可能な複合注文の決済における生成された品目配分と代価授受のうちの少なくとも１つに関する少なくとも１つの複合条件を含み、前記複合注文は、前記生成された品目配分において配分された全品目のうちの第１のトレーダーの部分に関する条件として単独で表現することも、前記第１のトレーダーが前記決済において照合される注文についての情報に関する条件として単独で表現することができず、
注文が複合しているのは、注文が、少なくとも一つの複合条件を含んでいる場合であり、複合条件は、前記注文の決済において少なくとも２つの起こり得る市況の状態のうちの少なくとも一つに基づいて定義される条件であり、
前記トレーディングメカニズムについて、条件が複合しているのは、
前記少なくとも一人の第１のトレーダー以外からの許容可能な注文のセットにおける少なくとも一つの注文の組に対して、決済における前記少なくとも一人の第１のトレーダーの品目配分と代価授受、決済の時刻まで存在する前記少なくとも一人の第１のトレーダーの入札履歴、前記決済の時刻、前記決済の時刻まで存在する外生変数の履歴、前記決済における取引品目配分と代価授受についての情報を除く前記決済の時刻までの取引履歴、および前記決済における取引品目配分と代価授受についての情報を除く前記決済の時刻までの前記トレーディングメカニズムにおける前記少なくとも一人の第１のトレーダーに利用可能な域内取引情報の履歴からなるグループに含まれる情報しか与えられていないときには、前記第１のトレーダーによって送信された注文に含まれる前記条件が前記許容可能な注文の決済において満たされているかどうかを判定することができないが、
前記決済における品目配分と代価授受、および前記決済の時刻までのトレーディングメカニズムにおける全部の情報からなるグループに含まれる情報が与えられているときには判定することができる場合である、前記受信すること、
ｃ）前記トレーディング装置に備えられた注文レシーバーを用いて送信された前記許容可能な注文を格納すること、
ｄ）前記トレーディング装置に備えられた取引生成部を用いて送信された前記許容可能な注文と前記トレーディングメカニズムとに基づいて取引を生成すること、
ここで、前記決済方法は、送信された前記許容可能な注文の決済において複数のトレーダーを照合し、
取引を生成することは、前記決済方法を使用して生成された取引を選択することを含み、
前記生成された取引は、前記決済において前記少なくとも２つの起こり得る市況の状態のうちの少なくとも一つに関連し、
前記生成された取引を選択することは、前記決済方法の一部である目的関数を用いることを含み、
前記決済において起こり得る市況の状態と関連する生成された取引は、前記決済において関連する起こり得る市況の状態を条件とした有効な注文の組に基づいて生成され、
前記決済において市況の状態を条件とした前記有効な注文の組は、有効な注文の組みの一部であり、有効な注文の組におけるいくつかの複合注文は、前記決済において少なくとも一つの起こり得る市況の状態が確定しているときにのみ関して条件付きで有効であり、前記決済においていかなる市況の状態に関して、前記有効な注文の組における複合条件の無い注文はすべて有効であり、
ｅ）前記トレーディング装置に備えられた報告モジュールを用いて前記取引を報告することを含む前記トレーディング方法を実行させる、コンピューター可読記憶媒体。
【請求項２】
前記注文レシーバーは、取引の品目配分および代価授受のうちの少なくとも一方に基づいて定義されない条件を有する少なくとも一つの複合注文を受信するように構成される、請求項１に記載のコンピューター可読記憶媒体。
【請求項３】
前記トレーディング装置は、単一の品目に対する注文をサポートし、
前記トレーディング装置は、無品目注文をサポートし、
前記注文レシーバーが、
購入品目、売却品目、取引の品目配分と代価授受、該注文に含まれる情報から派生した統計データ、変数であって、該変数の計算には、該注文に含まれる少なくとも何らかの情報を用いることが必要である、前記変数、無品目取引、少なくとも一つの複合注文に適した注文機能、および域内取引情報への影響から成る条件カテゴリーのグループから選択される条件を有する少なくとも一つの複合注文を受信するように構成され、
前記注文レシーバーが、
注文の価格インパクト、オークション規模、市場規模、流動性、応募超過、競争レベル、均衡性、分散度、需給不均衡、安定性、および市場の勢いから成るグループから選択される一つの概念を表わす変数の条件を有する少なくとも一つの複合注文を受信するように構成されている、請求項１に記載のコンピューター可読記憶媒体。
【請求項４】
前記トレーディング装置は、
前記注文の提出、該注文の修正、該注文の取消し、有効かつ未決済の注文セットの生成、該注文の受領確認、該注文の一部の公表、および該注文に基づいて生成される取引からなるグループから選択された前記注文に関連するイベントを管理するように構成された注文管理部、
前記注文と前記取引とのうちの少なくとも一つに基づいて、域内取引情報を報告および生成するように構成された域内取引情報モジュール、
前記取引に関連する情報を格納するように構成された取引格納モジュール、
取引報告命令を受信するように構成された命令レシーバー、
前記トレーディングメカニズムを格納するように構成されたトレーディングメカニズム格納モジュール、および
外部取引市場とデータベースとのうちの少なくとも一つと通信するように構成された外部通信モジュールであって、該外部取引市場は、該トレーディング装置を含む取引市場以外の取引市場である、前記外部通信モジュールのうちの少なくとも一つをさらに含む、請求項１〜３のいずれか１項に記載のコンピューター可読記憶媒体。
【請求項５】
前記トレーディング装置は、
外部取引市場とデータベースとのうちの少なくとも一つと通信するように構成された外部通信モジュールであって、該外部取引市場は、該トレーディング装置を含む取引市場以外の取引市場である、前記外部通信モジュールをさらに含み、
前記外部通信モジュールは、
前記注文の一部を前記外部取引市場へ送信するように構成された注文経路指定モジュールと、
該外部取引市場と前記データベースとのうちの少なくとも一つからの情報にアクセスできるように構成された外生情報アクセス部とを含む、請求項１〜３のいずれか１項に記載のコンピューター可読記憶媒体。
【請求項６】
前記トレーディング装置は、前記トレーディングメカニズムを格納するように構成されたトレーディングメカニズム格納モジュールをさらに含み、
前記トレーディングメカニズム格納モジュールは、前記取引生成部によってアクセスできるように構成されている、請求項１〜３および５のいずれか１項に記載のコンピューター可読記憶媒体。
【請求項７】
前記トレーディング装置は、前記少なくとも一人のトレーダーによって選択されるように構成された選択可能注文入力フォームをさらに含む、請求項１〜６のいずれか１項に記載のコンピューター可読記憶媒体。
【請求項８】
前記選択可能注文入力フォームが、
文章指定子、数学的条件指定子、関数指定子、領域指定子、および少なくとも一人のトレーダーの取引目的からなる選択可能な注文入力フォームのグループから選択される、請求項７に記載のコンピューター可読記憶媒体。
【請求項９】
前記決済方法は、トレーディングフォーマットおよびタイブレーカーのうちの少なくとも一つを含む、請求項１に記載のコンピューター可読記憶媒体。
【請求項１０】
該トレーディング装置によって用いられるトレーディングフォーマットが、
第一価格オークションフォーマット、第二価格オークションフォーマット、第一価格組合せオークションフォーマット、第二価格組合せオークションフォーマット、差別価格オークションフォーマット、統一価格オークションフォーマット、差別価格組合せオークションフォーマット、統一価格組合せオークションフォーマット、ダブルオークションフォーマット、および組合せオークションフォーマット、取引市場フォーマット、提出される注文が数量だけから成る取引フォーマット、ＮＹＳＥのマッチポイント、および現在システム内にある注文に一部基づく域内取引情報を送信するプラットフォームのうちの一つであること、
取引目的の最適化は、生成された取引が少なくとも一つの評価基準に与える効果を考慮することを含むことのうちの少なくとも一つを特徴とし、該評価基準は、
競売主催者の収益、競売主催者のコスト、取引利益、取引高、均衡性、分散度および価格安定性から成るグループから選択される、請求項９に記載のコンピューター可読記憶媒体。
【請求項１１】
前記トレーディングメカニズムは、
該トレーディングメカニズムに関連する少なくとも一つの取引ルール
を含む、請求項１〜１０のいずれか１項に記載のコンピューター可読記憶媒体。
【請求項１２】
前記トレーディングメカニズムに関連する少なくとも一つの取引ルールは、
注文に関するルール、換金に関するルール、品目候補セットに関するルール、および取引の決済時期に関するルールから成るグループから選択される、請求項１１に記載のコンピューター可読記憶媒体。
【請求項１３】
前記取引生成部は、格納された注文を該トレーディングメカニズムと比較するように構成されたコンパレーターと、該比較に基づいて該取引を執行する取引執行装置とを含むこと、
前記取引生成部は、決済方法を実行する決済方法モジュールを含むこと、
少なくとも一つの複合注文は、少なくとも一つの複合条件と、価格連動条件、経路指定条件、取引の影響を受けた条件、最低執行数量、および一括条件から成るグループから選択される少なくとも一つの非複合条件とを含むこと、
該トレーディング装置が、ダイナミックオークションの少なくとも一つのラウンドで稼動すること、
前記注文が、公共債、民間債、為替、手形、株式、投資信託証券、デリバティブ、オプション、クレジットデフォルトスワップ（ＣＤＳ）、バリアンススワップ（ＶＡＲ）、商品取引、電力、石油採掘権、排出権枠、排出権クレジット、不動産、オンライン広告権、特許、電波ライセンス、空港発着枠、データ容量、その他の有形、無形財から成るグループから選択される品目を対象としていること、および
該トレーディング装置が、高度設定で稼動するように構成されていることのうちの少なくとも一つを提供する、請求項１〜１２のいずれか１項に記載のコンピューター可読記憶媒体。
【請求項１４】
前記トレーディング装置は、少なくとも一つの注文の特徴が満たされること、および取引の生成時の前記少なくとも一つの注文の役割のうちの少なくとも一つに基づいて、金銭授受を決定するように構成された会計モジュールをさらに含む、請求項１〜１３のいずれか１項に記載のコンピューター可読記憶媒体。